(57)【要約】【課題】  画像を高速に更新できる情報処理装置、表示システム、画像伝送方法及びプログラムを提供する。【解決手段】  情報処理装置は、表示させる画像を第１の圧縮率で圧縮して表示装置に供給する。情報処理装置は、その後、所定の期間内に表示させる画像が更新されたか否かを判定し、所定の期間内に表示させる画像が更新されたと判定した場合には、更新後の表示させる画像を第１の圧縮率で圧縮して表示装置に供給する。一方、情報処理装置は、所定の期間内に画像が更新されない場合には、表示させる画像を第１の圧縮率よりも低い第２の圧縮率で圧縮して表示装置に供給する。【選択図】図５
2006285382.tif 000002
【特許請求の範囲】
【請求項１】
表示させる画像を更新させる旨の指示情報を取得する更新指示情報取得手段と、
画像データを第１の圧縮率又は前記第１の圧縮率よりも低い第２の圧縮率で圧縮する圧縮手段と、
前記圧縮手段により圧縮された画像データを送信する送信手段と、
前記送信手段が第１の圧縮率で圧縮された画像データを送信したときからの時間を計測する時間計測手段と、
前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、から構成される、
ことを特徴とする情報処理装置。
【請求項２】
前記制御手段は、前記圧縮手段が前記第２の圧縮率で画像データを圧縮しているとき、又は、前記送信手段が前記第２の圧縮率で画像データを圧縮した画像データを送信しているときに、前記更新指示情報取得手段が前記指示情報を取得した場合、前記圧縮手段に更新後の表示させる画像を前記第１の圧縮率で圧縮させる、
ことを特徴とする請求項１に記載の情報処理装置。
【請求項３】
前記送信手段は、無線通信により圧縮された画像データを送信する、
ことを特徴とする請求項１又は２に記載の情報処理装置。
【請求項４】
前記更新指示情報取得手段は、外部の指示装置から前記指示情報を供給される、
ことを特徴とする請求項１から３のいずれか１項に記載の情報処理装置。
【請求項５】
利用者の操作に応答して前記指示情報を前記更新指示情報取得手段に供給する入力手段を更に備える、
ことを特徴とする請求項１から４のいずれか１項に記載の情報処理装置。
【請求項６】
表示させる画像データを圧縮し、当該圧縮した画像データを表示装置に供給する情報処理装置と、前記情報処理装置から供給される圧縮された画像データを伸張して画像を復元し、当該画像を表示する表示装置と、から構成される表示システムであって、
前記情報処理装置は、
表示させる画像を更新させる旨の指示情報を取得する更新指示情報取得手段と、
画像データを第１の圧縮率又は前記第１の圧縮率よりも低い第２の圧縮率で圧縮する圧縮手段と、
前記圧縮手段により圧縮された画像データを送信する送信手段と、
前記送信手段が第１の圧縮率で圧縮された画像データを送信したときからの時間を計測する時間計測手段と、
前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、から構成される、
ことを特徴とする表示システム。
【請求項７】
表示させる画像を第１の圧縮率で圧縮して表示装置に供給する第１の供給ステップと、
前記第１の供給ステップの後、所定の期間内に表示させる画像が更新されたか否かを判定し、所定の期間内に表示させる画像が更新されたと判定した場合に処理を前記第１の供給ステップに戻す、判定ステップと、
前記判定ステップにおいて、所定の期間内に画像が更新されない場合に、表示させる画像を前記第１の圧縮率よりも低い第２の圧縮率で圧縮して前記表示装置に供給する第２の供給ステップと、から構成される、
ことを特徴とする画像伝送方法。
【請求項８】
コンピュータを、
表示させる画像を更新させる旨の指示情報を取得する更新指示情報取得手段と、
画像データを第１の圧縮率又は前記第１の圧縮率よりも低い第２の圧縮率で圧縮する圧縮手段と、
前記圧縮手段により圧縮された画像データを送信する送信手段と、
前記送信手段が第１の圧縮率で圧縮された画像データを送信したときからの時間を計測する時間計測手段と、
前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、として機能させる、
ことを特徴とするプログラム。
【発明の詳細な説明】
【技術分野】
【０００１】
本発明は、表示装置に画像を表示させるための情報処理装置、表示システム、画像伝送方法及びプログラムに関する。
【背景技術】
【０００２】
近年、パーソナルコンピュータやＰＤＡ（Personal Digital Assistants）等の情報処理装置とプロジェクタ（投影装置）を用いて、情報処理装置が出力する画像（プレゼンテーション用のスライド等）を大型スクリーンに表示する表示システムが開発されている。
【０００３】
特に、情報処理装置からプロジェクタへの画像データの送信を、無線によって行う表示システムは、情報処理装置を操作しながらプレゼンテーション等を実施する者（プレゼンタ）とプロジェクタとの位置関係に制約が少なく、利便性に優れている。
【０００４】
このような、無線を利用した表示システムでは、所定の圧縮率で圧縮された画像データを、画像が更新される都度、送信する（例えば、特許文献１を参照）。このとき、圧縮率が高い場合、データ量は少なくて済むが、復元された画像の画質が粗くなる。一方、圧縮率が低い場合には、復元された画像は高画質となるが、データ量が多くなる。
【特許文献１】特開２００４−２４０８２５号公報
【発明の開示】
【発明が解決しようとする課題】
【０００５】
例えば、所望の画像を探すときのように、短い間隔で画像を変更させながら表示させようとする場合、高画質の画像ではデータ量が多いため、画像１枚当たりの送信時間が長くなる。このため、プロジェクタが投影する画像の更新が遅い。
【０００６】
これに対し、画像データの圧縮率を高く設定すれば、画像を短い間隔で更新する場合でも表示の更新を高速に実行できるが、その場合には高画質の表示ができない。このため、高画質の表示を維持しつつ、画像を素早く更新できることが望まれる。
【０００７】
本発明は、上記実情に鑑みてなされたもので、画像を高速に更新できる情報処理装置、表示システム、画像伝送方法及びプログラムを提供することを目的とする。
【課題を解決するための手段】
【０００８】
本発明の第１の観点に係る情報処理装置は、表示させる画像を更新させる旨の指示情報を取得する更新指示情報取得手段と、画像データを第１の圧縮率又は前記第１の圧縮率よりも低い第２の圧縮率で圧縮する圧縮手段と、前記圧縮手段により圧縮された画像データを送信する送信手段と、前記送信手段が第１の圧縮率で圧縮された画像データを送信したときからの時間を計測する時間計測手段と、前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、から構成される、ことを特徴とする。
【０００９】
なお、本発明において、圧縮率とは、圧縮前のデータ量に対する圧縮後のデータ量の割合を意味するものとする。そして、圧縮率の数値が小さい場合を「圧縮率が高い」と表現し、圧縮率の数値が大きい場合を「圧縮率が低い」と表現するものとする。
【００１０】
前記制御手段は、前記圧縮手段が前記第２の圧縮率で画像データを圧縮しているとき、又は、前記送信手段が前記第２の圧縮率で画像データを圧縮した画像データを送信しているときに、前記更新指示情報取得手段が前記指示情報を取得した場合、前記圧縮手段に更新後の表示させる画像を前記第１の圧縮率で圧縮させてもよい。
【００１１】
前記送信手段は、無線通信により圧縮された画像データを送信してもよい。
【００１２】
前記更新指示情報取得手段は、外部の指示装置から前記指示情報を供給されもよい。
【００１３】
情報処理装置は、利用者の操作に応答して前記指示情報を前記更新指示情報取得手段に供給する入力手段を更に備えてもよい。
【００１４】
本発明の第２の観点に係る表示システムは、表示させる画像データを圧縮し、当該圧縮した画像データを表示装置に供給する情報処理装置と、前記情報処理装置から供給される圧縮された画像データを伸張して画像を復元し、当該画像を表示する表示装置と、から構成される表示システムであって、前記情報処理装置は、表示させる画像を更新させる旨の指示情報を取得する更新指示情報取得手段と、画像データを第１の圧縮率又は前記第１の圧縮率よりも低い第２の圧縮率で圧縮する圧縮手段と、前記圧縮手段により圧縮された画像データを送信する送信手段と、前記送信手段が第１の圧縮率で圧縮された画像データを送信したときからの時間を計測する時間計測手段と、前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、から構成される、ことを特徴とする。
【００１５】
本発明の第３の観点に係る画像伝送方法は、表示させる画像を第１の圧縮率で圧縮して表示装置に供給する第１の供給ステップと、前記第１の供給ステップの後、所定の期間内に表示させる画像が更新されたか否かを判定し、所定の期間内に表示させる画像が更新されたと判定した場合に処理を前記第１の供給ステップに戻す、判定ステップと、前記判定ステップにおいて、所定の期間内に画像が更新されない場合に、表示させる画像を前記第１の圧縮率よりも低い第２の圧縮率で圧縮して前記表示装置に供給する第２の供給ステップと、から構成される、ことを特徴とする。
【００１６】
本発明の第４の観点に係るプログラムは、コンピュータを、表示させる画像を更新させる旨の指示情報を取得する更新指示情報取得手段と、画像データを第１の圧縮率又は前記第１の圧縮率よりも低い第２の圧縮率で圧縮する圧縮手段と、前記圧縮手段により圧縮された画像データを送信する送信手段と、前記送信手段が第１の圧縮率で圧縮された画像データを送信したときからの時間を計測する時間計測手段と、前記時間計測手段が計測する計測時間が予め設定された時間になったと判定した場合、前記圧縮手段に前記第２の圧縮率で画像データを圧縮させ、前記時間計測手段が計測する計測時間が予め設定された時間になる前に、前記更新指示情報取得手段が指示情報を取得した場合、前記圧縮手段に前記第１の圧縮率で画像データを圧縮させる制御手段と、として機能させる、ことを特徴とする。
【発明の効果】
【００１７】
本発明に係る情報処理装置、表示システム、画像伝送方法及びプログラムでは、高圧縮率の画像データを供給し、その後所定の期間、投影する画像が更新されない場合に、低圧縮率の画像データを供給する。このため、本発明に係る情報処理装置、表示システム、画像伝送方法及びプログラムによれば、画像を高速に更新できる。
【発明を実施するための最良の形態】
【００１８】
本発明の実施の形態における表示システムを、図面を参照して説明する。
【００１９】
図１に示すように、本実施の形態における表示システム１は、情報処理装置２と、プロジェクタ３と、スクリーン４と、ポインタ５と、から構成される。
【００２０】
表示システム１の動作の概要は、以下のとおりである。
情報処理装置２は、投影すべき画像データを圧縮してプロジェクタ３に送信する。プロジェクタ３は、受け取ったデータを伸張して画像データを復元し、復元された画像をスクリーン４に投影する。プレゼンタＰがポインタ５を操作すると、情報処理装置２は、投影すべき画像データを更新してプロジェクタ３に送信する。プロジェクタ３は、受け取ったデータを伸張して更新された画像データを復元し、スクリーン４に投影する。
本発明は、上記の動作において、更新された画像がスクリーン４に投影されるまでの時間を短縮するように、情報処理装置２を動作させるものである。
【００２１】
上述のように、本実施の形態の表示システムでは、情報処理装置２において画像データを圧縮し、プロジェクタ３において圧縮されたデータを伸張して画像データを復元する。本実施の形態の表示システムでは、圧縮の方式として、例えば、ＪＰＥＧ（Joint Photographic Coding Experts Group）形式を採用する。
【００２２】
ＪＰＥＧでは、以下の手順で画像データを圧縮する。初めに、離散コサイン変換（ＤＣＴ：Discrete Cosine Transform）を実施し画像を周波数成分での表現（ＤＣＴ係数）に変換する。次に、ＤＣＴ係数を、量子化テーブルを用いて量子化する。次に、量子化したＤＣＴ係数をエントロピー符号化してハフマン符号で表す。最後に、エントロピー符号化を経たデータに、エントロピー符号化や量子化に用いたテーブル情報とヘッダ情報とを付加することで、圧縮データとなる。本実施の形態では、情報処理装置２は、このような、圧縮処理を実行する。
【００２３】
圧縮データを伸張して画像を復元するには、上記の手順の逆変換を実行する。すなわち、圧縮データに含まれるテーブル情報に基づき、エントロピー復号化、逆量子化、逆ＤＣＴの順で処理をすることで、画像を復元することができる。本実施の形態では、プロジェクタ３において、伸張処理が実行される。
【００２４】
なお、圧縮率とは、圧縮前のデータ量に対する圧縮後のデータ量の割合を意味するものとする。そして、圧縮率の数値が小さい場合を「圧縮率が高い」と表現し、圧縮率の数値が大きい場合を「圧縮率が低い」と表現するものとする。すなわち、圧縮率を高くした場合、復元される画像の画質は粗くなり、圧縮率を低くした場合、復元される画像の画質は高画質となる。
【００２５】
上記のＪＰＥＧの圧縮の手順において、圧縮率は、量子化をする際の量子化ステップに対応して変化する。すなわち、量子化ステップを大きくすることで、圧縮率を高めることができる。本発明に係る表示システム、画像伝送方法及びプログラムにおける圧縮方式は、ＪＰＥＧに限られない。ただし、当該圧縮方式は、圧縮率が可変であることが必要である。
【００２６】
続いて、表示システム１の各構成要素について、より詳細に説明する。
【００２７】
情報処理装置２は、パーソナルコンピュータ等の情報処理端末である。図２に示すように、情報処理装置２は、ＣＰＵ（Central Processing Unit）２１と、メモリ２２と、記憶部２３と、通信部２４と、から構成される。
【００２８】
ＣＰＵ２１は、記憶部２３に記憶されたプログラムに従い、画像データを圧縮するための演算や、情報処理装置２内の各部の制御等を実行する。例えば、ＣＰＵ２１は、後述する画像送信処理において、迅速な画像更新と高画質の表示を両立させるように、自ら画像データを所定の圧縮率で圧縮し、通信部２４を制御して当該圧縮した画像データをプロジェクタ３に送信させる。
【００２９】
メモリ２２は、ＲＡＭ（Random Access Memory）等の記憶素子等から構成される。メモリ２２は、ＣＰＵ２１による処理のワークスペースとなる。メモリ２２は、例えば、画像送信処理で用いるカウント値Ｔを格納する記憶領域を有する。
【００３０】
記憶部２３は、ＲＯＭ（Read Only Memory）や不揮発性のメモリ等から構成され、ＣＰＵ２１により実行されるプログラムや、当該プログラムで用いられるデータ等を格納する。例えば、記憶部２３は、後述する画像送信処理等を規定するプログラム、画像送信処理で用いる所定の時間（例えば１秒）を定義する値Ａ等を記憶する。また、記憶部２３は、プレゼンテーション用のアプリケーションプログラムや、当該アプリケーションプログラムを用いて表示させる複数の画像を格納するデータファイル等を記憶する。
【００３１】
通信部２４は、ＣＰＵ２１からの制御に従い、プロジェクタ３及びポインタ５との通信をするための無線通信回路である。
【００３２】
プロジェクタ３は、投影光を照射して情報処理装置２から受け取った画像をスクリーン４に結像させる。プロジェクタ３は、図３に示すように、ＣＰＵ３１と、メモリ３２と、記憶部３３と、通信部３４と、ビデオＲＡＭ（Random Access Memory）３５と、表示駆動部３６と、投影部３７と、操作部３８と、から構成される。
【００３３】
ＣＰＵ３１は、記憶部３３に記憶されたプログラムに従い、プロジェクタ３内の各部の制御等を実行する。
例えば、ＣＰＵ３１は、記憶部３３に記憶されたプログラムに従い、通信部３４を介して情報処理装置２から供給される圧縮された画像データを伸張して画像データを復元し、画像の拡大、縮小、回転、傾き調整、台形補正等の画像変換処理を施して、ビデオＲＡＭ３５に格納する。
【００３４】
メモリ３２は、ＲＡＭ（Random Access Memory）等の記憶素子等から構成される。メモリ３２は、ＣＰＵ３１による処理のワークスペースとなる。
【００３５】
記憶部３３は、ＲＯＭ（Read Only Memory）や不揮発性のメモリ等からなり、ＣＰＵ３１により実行されるプログラムや、当該プログラムで用いられるデータ等を格納する。例えば、記憶部３３は、圧縮された画像データを伸張するためのプログラムや、画像の拡大、縮小、回転、傾き調整、台形補正等をするため画像変換処理等を規定するプログラムを記憶する。
【００３６】
通信部３４は、ＣＰＵ３１からの制御に従い、情報処理装置２との通信をする無線通信回路である。
【００３７】
ビデオＲＡＭ３５は、投影する画像データを一時的に格納する記憶素子である。ビデオＲＡＭ３５は、ＣＰＵ３１から供給される画像データを格納し、新たな画像データが格納される度に、新たな画像データを表示駆動部３６に供給する。
【００３８】
投影部３７は、液晶パネル、光源、投影レンズ、ピント調整機構等から構成される。投影部３７は、表示駆動部３６によって駆動され、画像をスクリーン４に投影する。
【００３９】
表示駆動部３６は、ドライバ回路、ＤＡ変換回路等から構成される。表示駆動部３６は、新たな画像データが供給されたことに応答して、投影する画像を更新させるように、投影部３７の有する液晶パネルを駆動する。
【００４０】
操作部３８は、ピント調整つまみ、台形補正つまみ等の入力手段を備える。操作部３８は、ユーザ（プレゼンタＰ）による入力手段の操作に基づいて、操作情報をＣＰＵ３１に供給する。
【００４１】
スクリーン４は、プロジェクタ３から画像が投影される平坦面を有し、プロジェクタ３から所定の距離だけ離れた位置に設置される。
【００４２】
ポインタ５は、プレゼンタＰがスクリーン４上を指示するための指示器具である。ポインタ５は、図４に示すように、例えば、レーザ発光素子５０を備える。また、本実施の形態のポインタ５は、図４に示すように、制御部５１と、操作部５２と、通信部５３と、を更に備える。
【００４３】
操作部５２は、スイッチ等の入力手段を有する。操作部５２は、ユーザ（プレゼンタＰ）による入力手段の操作に基づいて、操作情報を制御部５１に供給する。
制御部５１は、操作部５２から供給される操作情報に応答し、画像を更新させる旨（１つ前又は後の画像を表示させる旨）の指示情報を通信部５３に供給する。
通信部５３は、無線通信回路から構成される。通信部は、制御部５１から供給される画像を更新させる旨の指示情報を、情報処理装置２に送信する。
【００４４】
情報処理装置２は、プレゼンテーション用のアプリケーションプログラムが起動されている場合、ポインタ５からの指示に応答して、アプリケーションプログラムが表示させているデータファイルに含まれる、表示中の画像の１つ前又は後の画像を表示させる。
【００４５】
このように構成される表示システム１において、情報処理装置２から表示させる画像データをプロジェクタ３に送信するための、画像送信処理の手順を、図５に示すフローチャートを参照して説明する。
【００４６】
画像送信処理に先立ち、情報処理装置２のＣＰＵ２１は、プレゼンテーション用のアプリケーションプログラムが起動し、当該プログラムを利用して表示させるための複数の画像が格納されたデータファイルを読み込む。
【００４７】
このような状態において、プレゼンタＰがポインタ５を操作することによる表示させる画像を更新させる旨の指示を、情報処理装置２のＣＰＵ２１が通信部２４を介して受け取ると、情報処理装置２は、画像送信処理を開始する。
【００４８】
画像送信処理が開始されると、ＣＰＵ２１は、表示させるべき画像データを取得する（ステップＳ１０）。すなわち、ＣＰＵ２１は、プレゼンテーション用アプリケーションプログラムで表示させようとする画像データを取得する。次に、取得した画像データを、所定の第１の圧縮率（例えば１０％）で圧縮する（以下、圧縮されたデータを圧縮データと呼ぶ）（ステップＳ１１）。
【００４９】
そして、ＣＰＵ２１は、圧縮データをプロジェクタ３に送信する（ステップＳ１２）。このとき、プロジェクタに送信される画像データのデータ量は、比較的少ないため、短時間で送信が完了し画像が更新される。ただし、更新後の画像は低画質となる。
【００５０】
次に、ＣＰＵ２１は、メモリ２２内に格納された、カウント値Ｔをリセットし、Ｔ＝０とする（ステップＳ１３）。次に、ＣＰＵ２１は、画像更新の指示がポインタ５から供給されたか否かを判定する（ステップＳ１４）。
【００５１】
画像更新の指示情報を受け取っている場合（ステップＳ１４；Ｙｅｓ）、ＣＰＵ２１は処理をステップＳ１０に戻し、更新後の画像について画像送信処理を続ける。
【００５２】
一方、画像更新の指示を受け取っていない場合（ステップＳ１４；Ｎｏ）、ＣＰＵ２１は、Ｔ＝Ａか否かを判定する（ステップＳ１５）。現時点では、ステップＳ１３でＴ＝０とされているため、ＣＰＵ２１は、Ｔ＝Ａでないと判定する（ステップＳ１５；Ｎｏ）。この場合、ＣＰＵ２１は、Ｔを１だけ増加させ（ステップＳ１８）、処理をステップＳ１４に戻す。
【００５３】
画像が更新されない状態が所定の期間続き、ＣＰＵ２１がステップＳ１４、Ｓ１５及びＳ１８の処理をＡ回繰り返すと、Ｔが所定値Ａに達する。
【００５４】
この状態で、処理がステップＳ１５に移ると（ステップＳ１５；Ｙｅｓ）、ＣＰＵ２１は、ステップＳ１０で取得した画像データを、ステップＳ１１における第１の圧縮率よりも低い第２の圧縮率（例えば３０％）で圧縮する（ステップＳ１６）。
【００５５】
そして、ＣＰＵ２１は、圧縮データをプロジェクタ３に送信する（ステップＳ１７）。このとき、プロジェクタ３に送信される画像データのデータ量は、比較的多いため、送信が完了しプロジェクタ３が投影する画像が更新されるまでに時間がかかる。ただし、更新後の画像は高画質となる。以上で画像送信処理を終了する。
【００５６】
上記の画像送信処理によって送信された圧縮データを、プロジェクタ３が受信すると、プロジェクタ３は、受信した圧縮データを伸張して画像データを復元し、スクリーン４に投影する。すなわち、プロジェクタ３は、ステップＳ１２の圧縮データを受信した際は、低解像度の画像をスクリーン４に投影し、ステップＳ１７の圧縮データを受信した際は、高解像度の画像をスクリーン４に投影する。
【００５７】
上記の画像送信処理が終了した後に、画像の更新があった場合には、再び画像送信処理が実行される。
【００５８】
上述のような表示システム１が使用される際の動作を具体的に説明する。
プレゼンタＰがポインタ５を操作して、スクリーン４に投影される画像の更新を指示すると、情報処理装置２は、プロジェクタ３に、第１の圧縮率で圧縮された画像データを送信し、プロジェクタ３は、その画像データから画像を復元して投影する（図５におけるステップＳ１０乃至Ｓ１２）。このとき伝送時間が短くできるよう第１の圧縮率は高く（例えば１０％に）設定されているため、画像は短時間で更新されるが、投影される画像の画質は粗いものとなる。
【００５９】
そして、情報処理装置２からプロジェクタ３に、第１の圧縮率で圧縮された画像データが送信されてから所定の時間（例えば１秒）以内に、再びポインタ５が操作されて画像が更新されると（ステップＳ１４；Ｙｅｓ）、情報処理装置２は、更新後の画像を第１の圧縮率で圧縮してプロジェクタ３に送信する。プロジェクタ３は、その画像データから画像を復元して投影する。このときも、画像は短時間で更新されるが、投影される画像の画質は粗いものとなる。
【００６０】
一方、情報処理装置２からプロジェクタ３に、第１の圧縮率で圧縮された画像データが送信されてから所定の時間（例えば１秒）が経過しても画像の更新が指示されない場合（ステップＳ１５；Ｙｅｓ）、情報処理装置２は、表示させる画像を第２の圧縮率で圧縮してプロジェクタ３に送信する（ステップＳ１６及びＳ１７）。プロジェクタ３は、その画像データから画像を復元して投影する。このとき第２の圧縮率は低く（例えば３０％に）設定されているため、投影される画像は高画質となる。
【００６１】
高画質の画像が投影された後に、再び画像が更新された場合には、表示システム１は、再び上記の一連の動作を繰り返す。
【００６２】
このように、短い間隔で画像が更新された場合、本実施の形態の表示システム１では、画質は粗いものの、画像を短時間で更新できる。また、同じ画像を表示し続ける場合には、高画質の画像を表示させることができる。
【００６３】
以上で説明したように、本実施の形態の表示システム１は、第１の圧縮率で圧縮した画像データを伝送した後、所定の期間画像が更新されない場合に第１の圧縮率よりも低い第２の圧縮率で圧縮した画像データを伝送する。その一方、所定の期間内に画像が更新された場合には、更新後の画像を第１の圧縮率で圧縮した画像データを再び伝送する。
【００６４】
このため、本実施の形態の表示システム１は、画像が短い間隔で更新される場合に迅速に表示する画像を更新し、更新された画像を視認可能とする。また、本実施の形態の表示システム１は、画像の更新がされない場合には、高画質の画像を表示する。
【００６５】
上記の実施の形態では、ポインタ５を操作することによって画像の更新させる場合を例に説明したが、本発明に係る表示システムは、情報処理装置２を操作することにより、画像を更新させてもよい。この場合も、画像が更新された場合に画像送信処理が開始されるようにすればよい。
【００６６】
上記の実施の形態では、情報処理装置２、プロジェクタ３及びポインタ５がそれぞれ有する通信部は、無線通信回路から構成された。しかし、通信部は有線通信回路であってもよい。
【００６７】
また、上記の実施の形態では、情報処理装置２、プロジェクタ３及びポインタ５が、それぞれ通信部を内蔵する場合を例に説明したが、本発明は、通信部を有さない情報処理装置２、プロジェクタ３及びポインタ５に通信装置を接続し、通信可能とした場合でもその目的を達成し得る。
【００６８】
上記の実施の形態では、画像送信処理において、第２の圧縮率での圧縮をした後は、画像送信処理が終了するまでの間に画像が更新されても当該画像送信処理が終了するまで、次の画像に更新するための再度の画像送信処理が行われない。しかし、本発明の表示システム、画像伝送方法及びプログラムでは、第２の圧縮率での圧縮開始後に画像が更新された場合に、当該画像送信処理を破棄し、新たな画像送信処理を開始するようにしてもよい。
【００６９】
上記の実施の形態では、表示システム１が、液晶パネルを用いたプロジェクタを備える場合を例に説明したが、プロジェクタの構成は液晶パネルを用いたものに限らず、例えば、デジタル・マイクロミラー・デバイスを用いたものであってもよい。
【００７０】
また、上記の実施の形態では、プロジェクタ３とスクリーン４とで表示装置を構成する場合を例に説明したが、表示装置は、冷陰極管、プラズマディスプレイ、液晶表示装置、エレクトロルミネセンスディスプレイ等の表示装置であってもよい。
【００７１】
なお、本発明は、以上の実施の形態に限定されるものではなく、発明の要旨を逸脱しない範囲で自由に変更、改良が可能である。
【図面の簡単な説明】
【００７２】
【図１】表示システムの構成を示すブロック図である。
【図２】情報処理装置の構成を示すブロック図である。
【図３】プロジェクタの構成を示すブロック図である。
【図４】ポインタの構成を示すブロック図である。
【図５】画像送信処理の手順を示すフローチャートである。
【符号の説明】
【００７３】
１・・・表示システム、２・・・情報処理装置、３・・・プロジェクタ、４・・・スクリーン、５・・・ポインタ
【図１】
2006285382.tif 000003
【図２】
2006285382.tif 000004
【図３】
2006285382.tif 000005
【図４】
2006285382.tif 000006
【図５】
2006285382.tif 000007